(57)【要約】【課題】表示パネルの発光輝度を低下させることなく、明るい場所での外光による反射輝度の低減を抑え、明るい場所でのコントラストを改善し、映像の品位を向上させたプラズマディスプレイパネル（ＰＤＰ）を提供する。【解決手段】隣接した表示電極４の間にブラックストライプ部５１を設け、ＰＤＰ表面に垂直な方向において、走査電極２及び維持電極３を構成するそれぞれのバス電極２ｂ及びバス電極３ｂとブラックストライプ部５１のそれぞれと同じ位置に、且つ、小さな間隔を有してバックパネル１３側に第１の黒色部１６、第２の黒色部１７及び第３の黒色部１８が形成された構成を有するＰＤＰである。【選択図】  図１
2005019008.tif 000002
【特許請求の範囲】
【請求項１】
透明電極及びバス電極からなる複数の表示電極を形成するとともにその表示電極を覆うように誘電体層を形成しかつ互いに隣り合う前記表示電極の間にブラックストライプ部を形成した前面側基板と、前記表示電極と直交する方向に複数のデータ電極を形成した背面側基板とを有し、前記前面側基板と前記背面側基板とを放電空間を挟んで対向配置したプラズマディスプレイパネルにおいて、
前記前面側基板の表面に垂直な方向において前記表示電極の前記バス電極及び前記ブラックストライプ部のそれぞれの位置と異なる位置に、前記バス電極及び前記ブラックストライプ部の少なくとも一方に対応させて複数の黒色部を設けたことを特徴とするプラズマディスプレイパネル。
【請求項２】
前記黒色部は、対応する前記バス電極及び前記ブラックストライプ部とほぼ同じ幅で、かつ不透光性の材料を用いて形成したことを特徴とする請求項１に記載のプラズマディスプレイパネル。
【請求項３】
前記黒色部は、前記前面側基板の前記誘電体層に設けたことを特徴とする請求項１に記載のプラズマディスプレイパネル。
【請求項４】
前記黒色部は、前記前面側基板の表示面側の表面に設けたことを特徴とする請求項１に記載のプラズマディスプレイパネル。
【請求項５】
前記バス電極及び前記ブラックストライプ部による不可視部分と、前記黒色部によって前記蛍光体層に投影される影との重複部分が最小になるように、前記黒色部の形成位置を設定したことを特徴とする請求項１に記載のプラズマディスプレイパネル。
【発明の詳細な説明】
【０００１】
【発明の属する技術分野】
本発明は、大画面、薄型、軽量のディスプレイ装置として知られているガス放電によって発生した紫外線によって蛍光体を励起、発光させ、画像表示するプラズマディスプレイパネル（以下、ＰＤＰと呼ぶ）に関し、特にＡＣ（交流）型ＰＤＰのパネル構造に関するものである。
【０００２】
【従来の技術】
ＰＤＰは、ガス放電によって発生した紫外線によって蛍光体を励起、発光させ、画像表示するディスプレイである。その放電の形成手法からＡＣ（交流）型とＤＣ（直流）型に分類することができ、ＡＣ型ＰＤＰは、輝度、発光効率、寿命の点でＤＣ型より優れていると言われている。
【０００３】
次に、従来のＡＣ型ＰＤＰのパネル構造について、図３、図４、図５及び図６を用いて説明する。図３は従来のＡＣ型ＰＤＰのパネル構造を説明する部分破断斜視図であり、図４は従来のＡＣ型ＰＤＰのＭ列×Ｎ行のマトリックス構成からなる電極配列図であり、図５は従来のＡＣ型ＰＤＰの前面側基板の上から見た放電セル部分の拡大平面図であり、図６は従来のＡＣ型ＰＤＰのブラックストライプ部における黒色部分による外光反射低減の効果を説明する図である。
【０００４】
図３において、透明な前面側基板１上には、走査電極２と維持電極３とで対をなすストライプ状の表示電極４が複数対形成され、この走査電極２及び維持電極３は、それぞれ透明電極２ａ、透明電極３ａ及びこの透明電極２ａ、透明電極３ａにそれぞれ電気的に接続された銀（Ａｇ）等の金属薄膜からなるバス電極２ｂ、バス電極３ｂとから構成され、バス電極２ｂ及びバス電極３ｂはそれぞれの透明電極２ａ及び透明電極３ａにおける面放電ギャップから遠い側の端縁部に配置されている。また、前面側基板１には、複数対の表示電極群を覆うように誘電体層５が形成され、その誘電体層５上には更に保護層６が形成され、フロントパネル７を構成している。
【０００５】
背面側基板８上には絶縁体層９で覆われた複数のデータ電極１０が形成され、隣り合うデータ電極１０の間の絶縁体層９上にデータ電極１０と平行して隔壁１１が設けられている。また、絶縁体層９の表面と隔壁１０の側面に蛍光体層１２が設けられ、これらによりバックパネル１３を構成している。
【０００６】
フロントパネル７における走査電極２及び維持電極３と、バックパネル１３におけるデータ電極１０とが直交するように、フロントパネル７とバックパネル１３とを放電空間１４を挟んで対向させて配置するとともに、周囲を封止し、そして放電空間１４に、放電ガスとして、ヘリウム（Ｈｅ）、ネオン（Ｎｅ）、アルゴン（Ａｒ）、キセノン（Ｘｅ）等の希ガスを封入することにより、隣接する２つの隔壁１１に挟まれかつデータ電極１０と対向する対をなす走査電極２と維持電極３との交差部の放電空間１４に放電セル１５が構成され、そして各放電セル１５には、放電による紫外線で赤色、緑色及び青色にそれぞれ励起、発光する蛍光体層１２が１色ずつ順次配置されて、ＡＣ型ＰＤＰ３１の表示パネルを構成している。
【０００７】
次に、上記ＡＣ型ＰＤＰ３１の表示パネルの本体の動作について説明する。図４にこの表示パネルの電極配列図を示すように、Ｍ列×Ｎ行の放電セルからなるマトリックス構成であり、行方向にはＮ行の走査電極ＳＣＮ１〜ＳＣＮｎ及び維持電極ＳＵＳ１〜ＳＵＳｎが配列され、列方向にはＭ列のデータ電極Ｄ１〜Ｄｎが配列されている。電極間に数十ｋＨｚ〜数百ｋＨｚのＡＣ電圧を印加して放電空間に放電を発生させ、励起された例えば放電ガス中のヘリウム（Ｈｅ）原子からの紫外線によって蛍光体層１２を励起することにより可視光を発生させて表示動作を行っている。即ち、図４において、表示電極４とデータ電極１０との交点が位置する複数の放電セル１５で構成される領域において、上述の表示動作を行って画像が表示される。
【０００８】
このように構成されたＡＣ型ＰＤＰ３１の表示パネルの明るい場所での表示動作においては、蛍光体層１２等による外光の反射が発生する。この外光の反射輝度は、画質の良否を左右する非常に大きな要因の１つであり、反射輝度が大きい場合には、表示画像のコントラストが低下し、表示画像が白っぽく見えるようになって、映像を始めとする表示画像の品位を著しく劣化させる。
【０００９】
この外光の反射輝度を抑えるためにＡＣ型ＰＤＰ３１の表示パネルに帯状の遮光膜であるブラックストライプ部を設ける方法が提案されている（例えば、特許文献１参照）。次に、この外光の反射輝度を抑えるために設けられたブラックストライプ部について、図５及び図６を用いて説明する。
【００１０】
従来のＡＣ型ＰＤＰ３１のフロントパネル７を上面から見た時、前面側基板１、誘電体層５及び保護層６はともに透光性を有している。図５において、破線で示した走査電極２の透明電極２ａ及び維持電極３の透明電極３ａは透明であるので、実際の見た目には認識することができない。しかし、走査電極２のバス電極２ｂ、維持電極３のバス電極３ｂは、一般的にはそれぞれ黒色或いは暗色で光を透過せず黒く見える。また、隣り合う表示電極４の間にはブラックストライプ部５１が形成され、明るい場所での外光反射を抑えるために、表示電極４を構成する走査電極２及び維持電極３のそれぞれのバス電極２ｂ及びバス電極３ｂと同様に黒色或いは暗色をしており、光を透過しない或いは透過し難くなされている。尚、放電は走査電極２と維持電極３の間で発生するため、ブラックストライプ部５１を導入しても、ブラックストライプ部５１が形成されている位置はもともと放電が発生していない箇所であるため、表示パネルからの発光を損なうようなことはない。即ち、ＰＤＰの発光輝度を低下させるものではない。
【００１１】
次に、図６を用いて上述のバス電極２ｂ及びバス電極３ｂとブラックストライプ部５１における黒色部分による外光反射低減の効果を説明する。室内での蛍光灯等の照明の光や太陽光などの外光が当たる場合、表示パネルに対して光は斜めから入射すると考えるのが妥当である。勿論周りにある物体の反射等で全方位から光は入射するものと考えられるが、最も支配的な外光は斜め約４５度の角度からの光が占めるとみなせる。この斜め約４５度の角度からの外光６１が表示パネルに入射した場合を考える。図６（ａ）は、ＡＣ型ＰＤＰ３１をデータ電極１０上においてデータ電極１０に平行な線で切断して示した断面図である。図６（ａ）に示すように、外光６１による走査電極２のバス電極２ｂ及び維持電極３のバス電極３ｂ、ブラックストライプ部５１の影が蛍光体層１２上に投影される。図６（ｂ）はフロントパネル７に対して上から垂直に観測者が見た場合に、蛍光体層１２上に投影された影の部分がどのように見えるかを平面図で示している。フロントパネル７表面に対して上方で垂直な方向から見た観測者が受ける外光による反射輝度は、この明暗の部分の積分値で表現される、即ち明暗の部分の面積に比例することになる。即ち、走査電極２のバス電極２ｂ及び維持電極３のバス電極３ｂとブラックストライプ部５１のそれぞれをフロントパネル７表面に対して垂直な方向に投影した影部分６２及び走査電極２のバス電極２ｂ及び維持電極３のバス電極３ｂとブラックストライプ部５１のそれぞれの外光６１方向の影部分６３の合計面積が外光６１に対して反射を抑制する部分となる。従って、単純にフロントパネル７に形成された走査電極２のバス電極２ｂ及び維持電極３のバス電極３ｂとブラックストライプ部５１が蛍光体層上にパネルの垂直方向に投影された影部分６２においてだけ反射が抑えられるのではなく、走査電極２のバス電極２ｂ及び維持電極３のバス電極３ｂとブラックストライプ部５１の影部分６３を有効に作らせることが外光による反射輝度を抑える重要な要因となる。
【００１２】
但し、上述の説明においては、説明を簡略化するために、ＡＣ型ＰＤＰを構成するそれぞれの要素の光屈折率は１としており、それぞれの要素間の境界において光は屈折せず、入射した光の進路の方向に直進するものとして説明している。しかし、実際にはそれぞれの要素の光屈折率が１とは限らず、各要素間の境界において光は屈折するので、正確を期すにはそれぞれの要素の光の屈折率を考慮する必要がある。
【００１３】
【特許文献１】
特開２０００−８２４０８号公報（第４頁、第２図）
【００１４】
【発明が解決しようとする課題】
しかしながら上述の従来のＡＣ型ＰＤＰ３１において、反射輝度を抑えて表示画像のコントラストを向上させるために、フロントパネル７に形成された走査電極２のバス電極２ｂ及び維持電極３のバス電極３ｂとブラックストライプ部５１の幅を広くしすぎると、表示パネルからの発光を有効に引き出せなくなり、表示パネルからの光取り出しを維持したまま、明るい場所での外光の反射輝度を抑えることができず、コントラストを低下させて、映像の品位を劣化させるという課題があった。
【００１５】
本発明はこのような課題を解決し、発光輝度を低下させることなく、外光の反射輝度を抑え、明るい場所でのコントラストを向上させ、映像の品位を向上させたＡＣ型ＰＤＰを提供することを目的とする。
【００１６】
【課題を解決するための手段】
上記目的を達成するために本発明のＰＤＰは、透明電極及びバス電極からなる複数の表示電極を形成するとともにその表示電極を覆うように誘電体層を形成しかつ互いに隣り合う表示電極の間にブラックストライプ部を形成した前面側基板と、表示電極と直交する方向に複数のデータ電極を形成した背面側基板とを有し、前面側基板と背面側基板とを放電空間を挟んで対向配置したＰＤＰにおいて、前面側基板の表面に垂直な方向において表示電極のバス電極及びブラックストライプ部のそれぞれの位置と異なる位置に、バス電極及びブラックストライプ部の少なくとも一方に対応させて複数の黒色部を設けた構成を有する。
【００１７】
この構成によって、発光輝度を低下させることなく、外光の反射輝度を抑え、明るい場所でのコントラストを向上させ、映像の品位を向上させることができる。
【００１８】
また、本発明のＰＤＰは、黒色部が、対応するバス電極及びブラックストライプ部とほぼ同じ幅で、かつ不透光性の材料を用いて形成した構成を有する。更に、本発明のＰＤＰは、黒色部が、前面側基板の誘電体層に設けた構成ならびに、黒色部が、前面側基板の表示面側の表面に設けた構成を有する。そして、また、バス電極及びブラックストライプ部による不可視部分と、黒色部によって蛍光体層に投影される影との重複部分が最小になるように、黒色部の形成位置を設定した構成をも有している。
【００１９】
これらの構成によって、蛍光体層の表面での反射を抑えるために有効な蛍光体層上にできる影の面積を増加させることになり、外光による反射輝度を更に１層低下させることができる。
【００２０】
【発明の実施の形態】
以下、本発明の実施の形態によるＰＤＰついて、図面を用いて詳しく説明する。
【００２１】
（実施の形態１）
図１は本発明の実施の形態１におけるＡＣ型ＰＤＰの要部の構成及びその蛍光体層上に投影された影の明暗を示す図で、図１中において、図３から図６に示した従来の構成要素と同じ要素には、同じ符号を付している。
【００２２】
まず、本発明の実施の形態１におけるＡＣ型ＰＤＰの全体構成は、図３、図４に示すような構成である。即ち、ガラス基板等の透明な前面側基板１上には、走査電極２と維持電極３とで対をなすストライプ状の表示電極４が複数対形成されている。この走査電極２及び維持電極３は、それぞれ例えば、ＩＴＯや酸化スズ（ＳｎＯ２）等からなる透明電極２ａ、透明電極３ａ及びこの透明電極２ａ、透明電極３ａにそれぞれ電気的に接続された、例えば、銀（Ａｇ）等の金属薄膜からなるバス電極２ｂ、バス電極３ｂとから構成され、バス電極２ｂ及びバス電極３ｂはそれぞれの透明電極２ａ及び透明電極３ａにおける面放電ギャップから遠い側の端縁部に配置されている。また、前面側基板１には、複数対の表示電極群を覆うように、例えば、低融点ガラス等からなる誘電体層５が形成され、その誘電体層５上には更に、例えば、酸化マグネシウム（ＭｇＯ）からなる保護層６が形成され、フロントパネル７を構成している。
【００２３】
また、前面側基板１に対向配置される背面側基板８上には、前面側基板１上の走査電極２及び維持電極３の表示電極４と直交する方向に、絶縁体層９で覆われた複数のデータ電極１０が形成され、隣り合うデータ電極１０の間の絶縁体層９上にデータ電極１０と平行してストライプ状の複数の隔壁１１が設けられている。また、絶縁体層９の表面と隔壁１１の側面に蛍光体層１２が設けられ、これらによりバックパネル１３を構成している。
【００２４】
フロントパネル７とバックパネル１３は、走査電極２及び維持電極３とデータ電極１０とが直交するように、微小な放電空間１４を挟んで対向させて配置されるとともに、周囲が封止され、そして放電空間１４には、放電ガスとして、例えば、ヘリウム（Ｈｅ）、ネオン（Ｎｅ）、アルゴン（Ａｒ）、キセノン（Ｘｅ）等の希ガスがおよそ６６．５ｋＰａ（５００Ｔｏｒｒ）の圧力で封入されている。隣接する２つの隔壁１１に挟まれ、データ電極１０と走査電極２と維持電極３との交差部の放電空間１４には放電セル１５が構成され、各放電セル１５には、放電による紫外線で赤色、緑色及び青色にそれぞれ励起、発光する蛍光体層１２が１色ずつ順次配置されて、ＡＣ型ＰＤＰ３１の表示パネルを構成している。
【００２５】
そして、上記ＡＣ型ＰＤＰ３１の表示パネルは、電極配列がＭ列×Ｎ行の放電セルからなるマトリックス構成であり、行方向にはＮ行の走査電極ＳＣＮ１〜ＳＣＮｎ及び維持電極ＳＵＳ１〜ＳＵＳｎが配列されている。電極間に数十ｋＨｚ〜数百ｋＨｚのＡＣ電圧を印加して放電空間に放電を発生させ、励起された例えば放電ガス中のヘリウム（Ｈｅ）原子からの紫外線によって蛍光体層１２を励起することにより可視光を発生させて表示動作を行っている。即ち、表示電極４とデータ電極１０との交点が位置する複数の放電セル１５で構成される領域において、上述の表示動作を行って画像が表示される。
【００２６】
ここで、本発明におけるＰＤＰは、図１（ａ）に示すように、バス電極２ｂ、バス電極３ｂ及びブラックストライプ部５１を覆うように第１の誘電体層５ａを形成し、その第１の誘電体層５ａ上に、表示パネルの表面に垂直な方向においてバス電極２ｂ、バス電極３ｂ及びブラックストライプ部５１の対応するそれぞれに重なるように、ほぼ同じ幅でかつ不透光性の材料を用いて第１の黒色部１６、第２の黒色部１７及び第３の黒色部１８をそれぞれ形成し、それらを覆うように下側の第２の誘電体層５ｂを形成している。即ち、表示パネルの表面に垂直な方向において走査電極２のバス電極２ｂ、維持電極３のバス電極３ｂ及びブラックストライプ部５１のそれぞれの位置と異なる位置に、バス電極２ｂ、バス電極３ｂ及びブラックストライプ部５１に対応させて第１の黒色部１６、第２の黒色部１７及び第３の黒色部１８がそれぞれ設けられている。
【００２７】
尚、図１に示す第１の黒色部１６、第２の黒色部１７及び第３の黒色部１８を形成する方法としては、走査電極２のバス電極２ｂ、維持電極３のバス電極３ｂ及びブラックストライプ部５１を形成するためのマスクと同じマスクを用いて形成することができ、従って、第１の黒色部１６、第２の黒色部１７及び第３の黒色部１８のパターニングのためのマスクアライメントずれに伴う歩留りを低下させることなく第１の黒色部１６、第２の黒色部１７及び第３の黒色部１８を形成することができる。
【００２８】
また、透明電極２ａ及び透明電極３ａを形成すると同時に、ブラックストライプ部５１を形成する位置にブラックストライプ基台部１０１を形成し、その上にブラックストライプ部５１を形成しても良く、或いは、それぞれの透明電極２ａ及び透明電極３ａの厚さはそれぞれのバス電極２ｂ及びバス電極３ｂに比較して非常に小さいため、ブラックストライプ基台部１０１を設けずに直接前面側基板１上に形成しても良い。
【００２９】
このような第１の黒色部１６、第２の黒色部１７及び第３の黒色部１８がそれぞれ配置されたＡＣ型ＰＤＰ１００に、最も支配的な斜め約４５度の角度からの外光６１が入射した場合におけるバス電極２ｂ、バス電極３ｂ、及びブラックストライプ部５１と、第１の黒色部１６、第２の黒色部１７及び第３の黒色部１８によってできるそれぞれの影について、図１（ｂ）を用いて説明する。尚、説明を簡略化するために、上述の従来の構成の説明と同様に、ＡＣ型ＰＤＰ１００を構成する各要素の光の屈折率は１と仮定し、また斜め約４５度の角度を有する方向からの外光６１を受けた時のブラックストライプ部５１及び第３の黒色部１８によって作られる影を例にとって説明する。
【００３０】
外光６１によって蛍光体層１２に投影されるブラックストライプ部５１の影の最外点Ａ及びＢは、ブラックストライプ部５１の点ａ及び点ｂに対応するものであり、一方、外光６１によって蛍光体層１２に投影される第３の黒色部１８の影の最外点Ｃ及びＤは、第３の黒色部１８の点ｃ及び点ｄに対応するものである。従って、第１の誘電体層５ａを挟んで対向したブラックストライプ部５１と第３の黒色部１８が外光６１によって蛍光体層１２に投影される影１０２の最外点は、ブラックストライプ部５１の点ａ及び第３の黒色部１８の点ｄがそれぞれ投影されたそれぞれの影の点Ａ及び点Ｄとなる。故に、影１０２の幅は、影１０２の最外点Ａから最外点Ｄまでの距離となる。
【００３１】
従って、第３の黒色部１８を設けることによって蛍光体層１２に投影される影１０２の大きさは、ブラックストライプ部５１を単独で設けた従来の構成に比較して、大きな面積の影が生じることになり、外光６１による反射輝度を低下させることができ、他方では、表示パネルを表面に垂直な方向から見た時のブラックストライプ部５１と第３の黒色部１８は重なっているため、表示パネルから取り出される光が減少することはなく、即ち発光輝度を低下させることがなく、明るい場所でのコントラストを向上させることが可能になる。
【００３２】
また、第１の誘電体層５ａを挟んで対向した走査電極２のバス電極２ｂと第１の黒色部１６の蛍光体層１２に投影される外光６１による影、及び、第１の誘電体層５ａを挟んで対向した維持電極３のバス電極３ｂ及び第２の黒色部１７の蛍光体層１２に投影される外光６１による影についても、上述のブラックストライプ部５１と第３の黒色部１８による影１０２と同じように、走査電極２のバス電極２ｂ及び維持電極３のバス電極３ｂがそれぞれ単独に形成された従来の場合に比較して、それぞれ大きな面積の影が得られることになり、発光輝度を低下させることなく、外光６１による反射輝度を低下させることができ、明るい場所でのコントラストを向上させることができる。
【００３３】
ところで、ブラックストライプ部５１とそれに垂直方向に重なり合った第３の黒色部１８を表示パネルの表面に垂直な方向から見た時に蛍光体層１２上に投影される部分は、観測者から見て見えない部分、即ち不可視部分１０３となる。従って、ブラックストライプ部５１と第３の黒色部１８によって生じる蛍光体層１２に投影される影１０２と、この不可視部分１０３が重ならないように、ブラックストライプ部５１及び第３の黒色部１８の幅及び配置を設定すれば、外光６１による反射輝度を更に１層低下させることができる。このことはバス電極２ｂ、バス電極３ｂと第１の黒色部１６及び第２の黒色部１７についても同様である。故に、バス電極２ｂ、バス電極３ｂ及びブラックストライプ部５１による不可視部分と、第１の黒色部１６、第２の黒色部１７、第３の黒色部１８によって蛍光体層１２に投影される影との重複部分が最小になるように、複数の第１の黒色部１６、第２の黒色部１７、第３の黒色部１８の形成位置を設定することによって、蛍光体層１２の表面での反射を抑えるために有効な蛍光体層１２上にできる影の面積を増加させることになり、外光６１による反射輝度を更に１層低下させることができる。尚、ブラックストライプ部５１の幅及び第１の黒色部１６、第２の黒色部１７、第３の黒色部１８の配置位置に限らず、ＡＣ型ＰＤＰの性能に悪影響を与えない範囲で、第１の誘電体層５ａ、第２の誘電体層５ｂ及び保護層６の厚さや放電空間１４の厚さ（保護層６から蛍光体層１２までの距離）を適宜設定しても良い。
【００３４】
尚、上述の説明においては、説明を簡略化するために、前述の従来の構成における記述と同様に、ＡＣ型ＰＤＰを構成する各要素の光屈折率は１と仮定しており、それぞれの要素間の境界において光は屈折せず、入射した光の進路の方向に直進するものと仮定して説明しているが、実際にはそれぞれの要素の光屈折率が１とは限らないため、各要素間の境界において光は屈折するので、それぞれの要素の光屈折率を考慮する必要があるのは言うまでもないことである。
【００３５】
また、第１の黒色部１６、第２の黒色部１７及び第３の黒色部１８は、何ら黒色に限るものではなく、可視光を遮る暗色であれば良い。
【００３６】
また、第１の黒色部１６、第２の黒色部１７及び第３の黒色部１８は、必ずしもバス電極２ｂ、バス電極３ｂ及びブラックストライプ部５１と同じ材料でなくてはならないことはない。むしろ、第１の黒色部１６、第２の黒色部１７及び第３の黒色部１８を同時に形成することが望ましいため、第１の黒色部１６、第２の黒色部１７及び第３の黒色部１８同士が同じ材料であることが最も望ましい。尚、これらの第１の黒色部１６、第２の黒色部１７及び第３の黒色部１８は１層である必要はなく、必要に応じて２層以上に形成しても良い。
【００３７】
以上説明したように本発明の実施の形態１によれば、明るい場所での使用において外光を受けた場合にも、第１の黒色部、第２の黒色部及び第３の黒色部によって、外光を遮光する面積が増加し、蛍光体層表面における外光の反射を低減させることができ、ＡＣ型ＰＤＰとしての発光輝度を低下させることなく、外光による反射輝度を低下させることができるので、明るい場所でのコントラストを向上させ、且つ、表示される映像等の画像の品位を向上させることを可能にするＡＣ型ＰＤＰを実現することができる。尚、黒色部は、バス電極及びブラックストライプ部のそれぞれに対応させて設けるのが望ましいが、バス電極及びブラックストライプ部の少なくとも一方に対応させて設けただけでも、従来に比べ、明るい場所でのコントラストを向上させることができる。
【００３８】
（実施の形態２）
図２は、本発明の実施の形態２におけるＡＣ型ＰＤＰの要部構成及び蛍光体層上に投影された影の明暗を示す図である。図２（ａ）に示すように、本実施の形態においては、ＡＣ型ＰＤＰ２００の前面側基板１の表示面側の表面に、バス電極２ｂ、バス電極３ｂ及びブラックストライプ部５１のそれぞれに対応する第１の黒色部２１、第２の黒色部２２及び第３の黒色部２３をそれぞれ形成したものである。
【００３９】
図２（ａ）において、フロントパネル２４の第１の黒色部２１、第２の黒色部２２、第３の黒色部２３、表示電極４を構成する走査電極２及び維持電極３のそれぞれのバス電極２ｂ及びバス電極３ｂ及びブラックストライプ部５１が外光６１を受けて、蛍光体層１２の表面上にそれぞれの影を形成する。これらの影の部分の面積の総和は、表示電極４を構成する走査電極２及び維持電極３のそれぞれのバス電極２ｂ及びバス電極３ｂ及びブラックストライプ部５１によるそれぞれの影の部分の面積の総和よりも大きくなり、蛍光体層１２における外光６１に対する反射面積を小さくすることになり、外光６１による反射輝度を低下させることができる。他方では、表示パネルの表面に垂直な方向から見た時の第１の黒色部２１と走査電極２のバス電極２ｂ、第２の黒色部２２と維持電極３のバス電極３ｂ及び第３の黒色部２３とブラックストライプ部５１は、それぞれ重なっているため、表示パネルから取り出される光が減少することがなく、即ち発光輝度を低下させることがなく、明るい場所でのコントラストを向上させることができる。
【００４０】
また、図２（ｂ）において、蛍光体層１２に投影した不可視部分２５と、黒色部によって作られる影との重複部分２６が小さくなるように、黒色部の幅を設定すれば、外光６１を受けた時に、蛍光体層１２による反射面積をより小さくすることができる。
【００４１】
尚、上記実施の形態においては、黒色部の幅をそれぞれに対応するバス電極２ｂ、バス電極３ｂ及びブラックストライプ部５１の幅とほぼ同じとしたが、何らこれに限ることはなく、バス電極２ｂ、バス電極３ｂ、ブラックストライプ部５１、黒色部によってできる影の面積が大きく、またバス電極２ｂ、バス電極３ｂ及びブラックストライプ部５１による不可視部分と、バス電極２ｂ、バス電極３ｂ、ブラックストライプ部５１、黒色部によってできる影との重複部分が最小になるように、影を有効に形成することができる時には、黒色部の幅はバス電極２ｂ、バス電極３ｂ及びブラックストライプ部５１のそれぞれの幅よりも小さくても良い。
【００４２】
【発明の効果】
以上のように本発明は、明るい場所での使用において外光を受けた場合にも、黒色部によって、外光を遮光する面積が増加し、蛍光体層上にできる影を有効に増やすことができ、蛍光体層表面における外光の反射を低減させることができる。しかも、表示パネルの垂直な方向から見て、表示電極のバス電極とブラックストライプ部と同じ位置に対応させて、黒色部を形成しているために、表示パネルとしての発光輝度を低下させることはない。
【図面の簡単な説明】
【図１】本発明の実施の形態１におけるＡＣ型ＰＤＰの要部の構成及びその蛍光体層上に投影された影の明暗を示す図
【図２】本発明の実施の形態２におけるＡＣ型ＰＤＰの要部の構成及び蛍光体層上に投影された影の明暗を示す図
【図３】従来のＡＣ型ＰＤＰのパネル構造を説明するための部分破断斜視図
【図４】従来のＡＣ型ＰＤＰのＭ列×Ｎ行のマトリックス構成からなる電極配列図
【図５】従来のＡＣ型ＰＤＰの他の前面側基板の上から見た放電セル部分の拡大平面図
【図６】従来のＡＣ型ＰＤＰのブラックストライプ部における黒色部分による外光反射低減の効果を説明する図
【符号の説明】
１  前面側基板
２  走査電極
２ａ，３ａ  透明電極
２ｂ，３ｂ  バス電極
３  維持電極
４  表示電極
５  誘電体層
５ａ  第１の誘電体層
５ｂ  第２の誘電体層
６  保護層
７，１９，２４  フロントパネル
８  背面側基板
９  絶縁体層
１０  データ電極
１１  隔壁
１２  蛍光体層
１３  バックパネル
１４  放電空間
１５  放電セル
１６，２１  第１の黒色部
１７，２２  第２の黒色部
１８，２３  第３の黒色部
２５，１０３  不可視部分
２６  重複部分
３１，１００，２００  ＡＣ型ＰＤＰ（交流型プラズマディスプレイパネル）
５１  ブラックストライプ部
６１  外光
６２，６３  影部分
１０１  ブラックストライプ基台部
１０２  影
Ａ，ａ，Ｂ，ｂ，Ｃ，ｃ，Ｄ，ｄ  点
【図１】
2005019008.tif 000003
【図２】
2005019008.tif 000004
【図３】
2005019008.tif 000005
【図４】
2005019008.tif 000006
【図５】
2005019008.tif 000007
【図６】
2005019008.tif 000008